(57)【要約】【課題】光源、導光板および拡散板を備えた電飾看板において、輝度ムラを抑制する。【解決手段】電飾看板（１０）では、導光板（３５）における乳白色半透明板（１５）に対向する面、若しくは、乳白色半透明板（１５）における導光板（３５）に対向する面に凹凸構造が設けられているか、又は、導光板（３５）および乳白色半透明板（１５）の間に、少なくとも片面に凹凸構造が設けられているレンズシート（１４）をさらに備えている。【選択図】図１
2015087727.tif 000002
【特許請求の範囲】
【請求項１】
光源と、導光板と、拡散板と、を備え、
（１）該導光板における該拡散板に対向する面、若しくは、該拡散板における該導光板に対向する面に凹凸構造が設けられているか、又は、
（２）該導光板および該拡散板の間に、透光板をさらに備え、該透光板の少なくとも片面に、該凹凸構造が設けられている、ことを特徴とする電飾看板。
【請求項２】
上記凹凸構造は、当該凹凸構造が設けられた面と、当該面に対向する面との間の密着を防止するための構造であることを特徴とする請求項１に記載の電飾看板。
【請求項３】
上記拡散板における上記導光板に背向する面に被さるようにフィルムを吊り下げて固定するフィルム固定部をさらに備えていることを特徴とする請求項１または２に記載の電飾看板。
【請求項４】
上記フィルム固定部は、上記フィルムの一部分を固定する第一固定部と、上記フィルムの他の部分を固定する第二固定部を備え、
第一固定部および第二固定部は、互いに離反する方向にスライドさせたときに上記フィルムを固定するようになっていることを特徴とする請求項３に記載の電飾看板。
【請求項５】
上記フィルムの四隅を上記拡散板上に掛止する掛止部をさらに備えていることを特徴とする請求項３または４に記載の電飾看板。
【請求項６】
上記光源に電源を供給する電源部と、
該電源部、上記光源および上記導光板を保持する保持部と、
上記電飾看板を壁面に固定する固定部と、を備え、
該保持部が、該固定部に蝶着されており、該保持部を回動させることによって該電源部が露出するようになっていることを特徴とする請求項１〜５の何れか一項に記の電飾看板。
【請求項７】
上記拡散板における上記導光板に背向する面の外周部は、当該面の内周部に対して凹んでいることを特徴とする請求項１〜６の何れか一項に記載の電飾看板。
【請求項８】
上記拡散板と対になってフィルムを挟むための透明蓋をさらに備えていることを特徴とする請求項１〜７の何れか一項に記載の電飾看板。
【請求項９】
上記光源はＬＥＤ光源であることを特徴とする請求項１〜８の何れか一項に記載の電飾看板。
【発明の詳細な説明】
【技術分野】
【０００１】
本発明は、電飾看板に関するものである。
【背景技術】
【０００２】
ボックス内に光源を配置し、表示に広告等のフィルムを配置して夜間でも宣伝できるようにした電飾看板（コルトン看板とも称される）が知られている。例えば、特許文献１には、透明乃至半透明の基材と、該基材の裏面に積層した透明乃至半透明の粘着剤層と、上記基材の表面に形成した印刷インクによる表示部と、から成る印刷シート体を、上記粘着剤層を介して透明乃至半透明のプラスチック板に貼り付け、光源から光線を照射して、上記表示部を電飾表示する電飾看板が記載されている。
【０００３】
近年、このような電飾看板の光源として、液晶テレビのバックライトと同様の構成を採用することが検討されている（例えば、特許文献２）。その場合、なるべく電飾看板の厚みを薄くするために、液晶テレビのバックライトモジュールにおける光源および導光板（ＬＧＰ）のみを流用し、光学シートは省く場合が多い。
【先行技術文献】
【特許文献】
【０００４】
【特許文献１】特開２０１３−１１４２４１号公報（２０１３年６月１０日公開）
【特許文献２】特開２００７−８０７０７号公報（２００７年３月２９日公開）
【発明の概要】
【発明が解決しようとする課題】
【０００５】
本発明者らは、光源、導光板および拡散板を備えた電飾看板について鋭意検討している。
【０００６】
ここで、通常、導光板と拡散板との間には非常に薄い空気層が存在する。しかし、拡散板の歪み等に起因して導光板と拡散板とが密着すると、この空気層が無くなるため、拡散板における反射量が変化し、密着部分の輝度が増加する。結果、看板表側から見たときに、斑点状の輝度ムラが生じる。
【０００７】
本発明は、上記課題に鑑みてなされたものであり、光源、導光板および拡散板を備えた電飾看板において、輝度ムラを抑制するための技術を提供することを主たる目的とする。
【課題を解決するための手段】
【０００８】
上記の課題を解決するために、本発明の一態様に係る電飾看板は、光源と、導光板と、拡散板と、を備え、（１）該導光板における該拡散板に対向する面、若しくは、該拡散板における該導光板に対向する面に凹凸構造が設けられているか、又は、（２）該導光板および該拡散板の間に、透光板をさらに備え、該透光板の少なくとも片面に、該凹凸構造が設けられている、ことを特徴としている。
【発明の効果】
【０００９】
本発明の一態様によれば、導光板、拡散板または透光板に設けられた凹凸構造によって、導光板と拡散板との間に空気層を安定して存在せしめることができるので、輝度ムラを抑制することができる。
【図面の簡単な説明】
【００１０】
【図１】本発明の一実施形態に係る電飾看板の要部構成を模式的に示す側方断面図である。
【図２】従来技術に係る電飾看板の要部構成を模式的に示す側方断面図である。
【図３】従来技術に係る電飾看板において、拡散板に歪みが生じた状態を模式的に示す側方断面図である。
【図４】本発明の一実施形態に係る電飾看板の外観を模式的に示す斜視図である。
【図５】本発明の一実施形態に係る電飾看板の外観を模式的に示す正面図である。
【図６】本発明の一実施形態に係る電飾看板の外観を模式的に示す背面図である。
【図７】本発明の一実施形態に係る電飾看板の内部構成を模式的に示す分解図である。
【図８】本発明の一実施形態に係る電飾看板のバックライトシャーシ部の構成を模式的に示す分解図である。
【図９】本発明の一実施形態に係る電飾看板の要部構成を模式的に示す側方断面図である。
【図１０】本発明の一実施形態に係る電飾看板の要部構成を模式的に示す側方断面図である。
【図１１】本発明の一実施形態に係る電飾看板において、アクリル板および蓋枠を開いた状態を模式的に示す斜視図である。
【図１２】本発明の一実施形態に係る電飾看板のフィルム固定金具を模式的に示す拡大斜視図である。
【図１３】本発明の一実施形態に係る電飾看板のフィルム固定金具を模式的に示す拡大斜視図である。
【図１４】本発明の二つの実施形態に係るフィルム固定金具のロック機構を説明する図である。
【図１５】本発明の一実施形態に係る電飾看板のフィルムコーナー固定金具を模式的に示す拡大図である。
【図１６】本発明の一実施形態に係る電飾看板のバックライトシャーシ部を回動させた状態を模式的に示す斜視図である。
【図１７】本発明の一実施形態に係る電飾看板のバックライトシャーシ部を回動させるための蝶番を模式的に示す斜視図である。
【図１８】本発明の一実施形態に係る電飾看板のバックライトシャーシ部を固定するためのダルマ型穴を模式的に示す斜視図である。
【図１９】本発明の一実施形態に係る電飾看板の乳白色半透明板およびその固定金具を模式的に示す拡大図である。
【図２０】本発明の一実施形態に係る電飾看板の乳白色半透明板およびその固定金具を模式的に示す側方断面図である。
【発明を実施するための形態】
【００１１】
（電飾看板の概略構成）
以下、本発明の実施形態について、図面を参照して詳細に説明する。以下では、全体が四角形の縦型６０インチサイズの電飾看板について説明するが、本発明はこれに限定されず、サイズ、形状は様々なものを用いることができる。また、説明の便宜上、各実施形態において、他の実施形態にて説明した部材と同じ機能を有する部材については、同じ符号を付記し、その説明を省略する。
【００１２】
（第１の実施形態）
図４は、第１の実施形態に係る電飾看板１０の外観を模式的に示す斜視図である。図５は、電飾看板１０の外観を模式的に示す正面図である。図６は、電飾看板１０の外観を模式的に示す背面図である。図７は、電飾看板１０の内部構成を模式的に示す分解図である。図８は、電飾看板１０のバックライトシャーシ部３０の構成を模式的に示す分解図である。
【００１３】
電飾看板１０は、ベース部（固定部）１１、電源部１２、バックライトシャーシ部固定金具（保持部）１３、バックライトシャーシ部３０、レンズシート（透光板）１４、乳白色半透明板（拡散板）１５、乳白色半透明板固定金具１６、フィルム固定金具（フィルム固定部）１７、フィルムコーナー固定金具（掛止部）１８、アクリル板（透明蓋）１９、および蓋枠２０を備え、乳白色半透明板１５とアクリル板１９との間にフィルム１を保持している。なお、図５では、アクリル板１９および蓋枠２０を示しておらず、図７では、蓋枠２０を示していない。
【００１４】
バックライトシャーシ部３０は、バックライトシャーシ３１、反射シート３２、ＬＥＤ基板（光源、ＬＥＤ光源）３３、ミドルシャーシ３４および導光板３５を備えている。
【００１５】
ベース部１１は、電飾看板１０を壁面に取り付けるための土台部分である。バックライトシャーシ部固定金具１３は、バックライトシャーシ部３０を保持し、バックライトシャーシ部３０をベース部１１に取り付けるための金具であり、バックライトシャーシ部３０に応じた形状を有している。バックライトシャーシ部固定金具１３は、バックライトシャーシ部３０の主として底面（ベース部１１側の面）の外周部分とビス止めされるとともに（図６参照）、ベース部１１に対して蝶着されており、ベース部１１に対して回動可能になっている（後述）。
【００１６】
バックライトシャーシ部３０は、ＬＥＤ基板３３が出射した光が導光板３５に入射し、導光板３５から出射された光が、乳白色半透明板１５全面を照射するように構成されている。すなわち、バックライトシャーシ部３０では、導光板３５が、最も乳白色半透明板１５側に配置されている。バックライトシャーシ部３０は、例えば、液晶テレビのバックライト部分を流用することができる。詳細には、液晶テレビにおけるＢＬシャーシ、ミドルシャーシ、導光板、反射シート、ＬＥＤ基板、放熱板等をそのまま使用することができる。但し、光学シートおよび液晶パネルについては流用の必要がない。なお、光源としてＬＥＤ基板３３を用いることにより、長寿命を実現し、輝度ムラを小さくし、輝度を大きくすることができる。
【００１７】
電源部（電源基板）１２は、電飾看板特有の回路であり、簡単なスイッチを介して商用電源が供給されており、ＬＥＤ基板３３に電力を供給する回路である。電源部１２は、バックライトシャーシ３１のベース部１１側に配設されている。言い換えれば、電源部１２は、バックライトシャーシ部３０に固定されており、バックライトシャーシ部固定金具１３によって保持されている。
【００１８】
また、図示しない調光回路（調光基板）も配設されている。調光回路は、周囲の明るさを検出する回路であり、光の検出が可能な位置（例えば、バックライトシャーシ部３０）に配置されている。
【００１９】
乳白色半透明板１５は、電飾看板特有の拡散板である。但し、広告の種類に応じて、乳白色または他の色の半透明または透明の拡散板を用いてもよい。拡散板一般は、例えば、光散乱微粒子をポリマー中に分散させることにより形成することができる。また、乳白色半透明板固定金具１６は、乳白色半透明板１５をバックライトシャーシ３１に固定する金具であり、乳白色半透明板１５の四辺を掛止するように設けられている。
【００２０】
また、両面に凹凸構造が設けられたレンズシート１４が、導光板３５と乳白色半透明板１５との間に配置されている。
【００２１】
フィルム１は、広告等が描画されたフィルムであり、これに光が照射されることによって、電飾看板１０は広告等を表示する。フィルム固定金具１７は、フィルム１を乳白色半透明板１５上に固定する金具であり、バックライトシャーシ部固定金具１３の上辺に設けられている。フィルムコーナー固定金具１８は、フィルム１の四隅を掛止して、フィルム１のめくれを防止する金具である。
【００２２】
アクリル板１９は、透明の保護板であり、蓋枠２０に取り付けられている。
【００２３】
（レンズシートの効果）
ここで、レンズシート１４を設けたことの効果について説明する。まず、レンズシート１４が存在しない従来技術について図２および図３を参照して説明する。図２は、従来技術に係る電飾看板９０の要部構成を模式的に示す側方断面図である。図３は、電飾看板９０において、乳白色半透明板９３に歪みが生じた状態を模式的に示す側方断面図である。
【００２４】
電飾看板９０は、反射シート９１、導光板９２および乳白色半透明板９３を備え、乳白色半透明板９３上にフィルムが保持されている。図示しない光源から出射され、導光板９２の側面から入射した光は、導光板９２の表示面方向（導光板９２からフィルム１に向かう方向、紙面上方向）に放射される。光は、乳白色半透明板９３によってさらに拡散され、フィルム１に到達し、フィルム１に描画された広告等を照らす。また、導光板９２と乳白色半透明板９３との間には、薄い空気層が存在し、導光板９２から出射された光は、一旦当該空気層において拡散し、その後、乳白色半透明板９３に入射する（図２参照）。
【００２５】
しかし、乳白色半透明板９３が、外圧等に起因して歪み、導光板９２と密着してしまうと、導光板９２から出射された光は、空気層で拡散することなく乳白色半透明板９３に入射されるため、導光板９２と乳白色半透明板９３とが密着している領域は、その他の領域よりも輝度が増加し、輝度ムラが生じる（図３参照）。
【００２６】
これに対し、本実施形態に係る電飾看板１０では、導光板３５と乳白色半透明板１５との間にレンズシート１４を配置することにより、以下のように輝度ムラを抑制することができる。図１は、電飾看板１０の要部構成を模式的に示す側方断面図である。レンズシート１４はその両面に、それぞれの面に対向する面との間の密着を防止するための凹凸構造が形成されている。そのため、乳白色半透明板１５が歪んだとしても、乳白色半透明板１５とレンズシート１４、又は、レンズシート１４と導光板３５が密着することがなく、乳白色半透明板１５と導光板３５との間に空気層を維持することができる（図１参照）。これにより、導光板３５から出射された光は、必ず空気層を通るようになり、安定した光拡散が可能となる。これにより、輝度ムラを抑制することができる。
【００２７】
なお、導光板３５と乳白色半透明板１５との間に空気層を維持できる限り、導光板３５と乳白色半透明板１５との間に挿入する透光板はレンズシート１４に限定されず、少なくとも片面に凹凸構造が設けられた透光板であればよい。さらに、凹凸構造は、当該凹凸構造が設けられた面に対向する面との間の密着を防止するための凹凸構造であればより好ましい。そのような透光板としては、例えば、少なくとも片面マット地、梨地またはシボ加工されている透明または半透明のシートであり得る。
【００２８】
なお、本発明は、導光板３５と乳白色半透明板１５との間に、レンズシート１４のような凹凸構造を有する透光板を配置する構成に限定されない。
【００２９】
（第２の実施形態）
図９は、本発明の第２の実施形態に係る電飾看板１０’の要部構成を模式的に示す側方断面図である。電飾看板１０’では、導光板３５’における乳白色半透明板１５に対向する面に、乳白色半透明板１５との間の密着を防止するための凹凸構造が設けられている構成である。当該構成によれば、乳白色半透明板１５が歪んだとしても、乳白色半透明板１５と導光板３５’が密着することがなく、乳白色半透明板１５と導光板３５’との間に空気層を維持することができる（図９参照）。これにより、導光板３５から出射された光は、必ず空気層を通るようになり、安定した光拡散が可能となる。これにより、レンズシート１４が無くとも、輝度ムラを抑制することができる。
【００３０】
（第３の実施形態）
図１０は、本発明の第３の実施形態に係る電飾看板１０’’の要部構成を模式的に示す側方断面図である。電飾看板１０’’では、乳白色半透明板１５’における導光板３５に対向する面に、導光板３５との間の密着を防止するための凹凸構造が設けられている構成である。当該構成によれば、乳白色半透明板１５’が歪んだとしても、乳白色半透明板１５’と導光板３５が密着することがなく、乳白色半透明板１５’と導光板３５との間に空気層を維持することができる（図１０参照）。これにより、導光板３５から出射された光は、必ず空気層を通るようになり、安定した光拡散が可能となる。これにより、レンズシート１４が無くとも、輝度ムラを抑制することができる。
【００３１】
なお、電飾看板１０’および１０’’における、レンズシート１４および凹凸構造以外の構成は、電飾看板１０と同様である。
【００３２】
（フィルム固定部）
一般的に、電飾看板において、広告等が描画されたフィルムは頻繁に交換される。そこで、本実施形態では、アクリル板１９および蓋枠２０を容易に開けるようにして、乳白色半透明板１５上に吊り下げられたフィルム１を容易に交換可能にしている。
【００３３】
図１１は、電飾看板１０において、アクリル板１９および蓋枠２０を開いた状態を模式的に示す斜視図である。アクリル板１９および蓋枠２０は、ベース部１１に対して蝶着されており、反時計回りに回動することによって開くようになっている。なお、回動の方向は特に限定されない。フィルム１は、バックライトシャーシ部固定金具１３の上部に設けられたフィルム固定金具（フィルムホルダー）１７によって端部が固定されており、吊り下げられるように保持されている。これにより、光が照射される位置にフィルム１を首尾よく保持することができる。
【００３４】
図１２は、電飾看板１０のフィルム固定金具１７を模式的に示す拡大斜視図である。また、図１４の（ｃ）および（ｄ）は、フィルム固定金具１７のロック機構を説明する図である。フィルム固定金具１７は、一方向にスライドさせたときにフィルム１を固定するロック機構である。すなわち、フィルム固定金具１７の溝ｙにネジｘが挿入されており、溝ｙは折れ曲がった形状をしている。フィルム固定金具１７を紙面向かって左方向にスライドさせると、乳白色半透明板１５とフィルム固定金具１７との間に隙間が生じるので（図１２、図１４の（ｃ）参照）、当該隙間にフィルム１を挿入し、フィルム固定金具１７を紙面向かって右方向にスライドさせることで、フィルム１の端部を固定することができる（図１４の（ｄ）参照）。
【００３５】
但し、フィルム固定金具１７は、フィルム１を固定する際に、一方向にずらしていくため、フィルム１がフィルム固定金具１７の動きに追従してフィルム１の位置がずれてしまう場合がある。また、フィルム１は、非常に薄いものであるため、弛み等が発生し易く、ゆえにフィルム１の固定に手間取る場合がある。
【００３６】
（第４の実施形態）
そこで、第４の実施形態では、フィルム１の一部分を固定する第一固定部１７’ａおよびフィルム１の他の部分を固定する第二固定部１７’ｂからなるフィルム固定金具１７’を用い、第一固定部１７’ａおよび第二固定部１７’ｂは、互いに離反する方向にスライドさせたときにフィルム１を固定するようにしている。
【００３７】
図１３は、フィルム固定金具１７’を模式的に示す拡大斜視図である。また、図１４の（ａ）および（ｂ）は、フィルム固定金具１７’のロック機構を説明する図である。第一固定部１７’ａおよび第二固定部１７’ｂは、それぞれ溝ｙを備えており、溝ｙにはそれぞれネジｘが挿入されている。溝ｙはそれぞれ折れ曲がった形状をしている。第一固定部１７’ａを紙面向かって右方向にスライドさせ、第二固定部１７’ｂを紙面向かって左方向にスライドさせると、乳白色半透明板１５とフィルム固定金具１７との間に隙間が生じるので（図１３の（ａ）、図１４の（ａ）参照）、当該隙間にフィルム１を挿入し、第一固定部１７’ａを紙面向かって左方向にスライドさせ、第二固定部１７’ｂを紙面向かって右方向にスライドさせることで、フィルム１の端部を固定することができる（図１３の（ｂ）、図１４の（ｂ）参照）。
【００３８】
このように、第一固定部１７’ａおよび第二固定部１７’ｂが、互いに離反する方向にスライドさせたときにフィルム１を固定するようになっているため、フィルム１が、第一固定部１７’ａおよび第二固定部１７’ｂの何れか一方の動きに追従することもなく、フィルム１のずれを抑制することができる。また、フィルム１は、第一固定部１７’ａおよび第二固定部１７’ｂにより、それぞれ反対方向に引っ張られるため、フィルム１にしわがより難くなる。
【００３９】
また、本構造によって、乳白色半透明板１５と導光板３５との密着による輝度ムラを軽減することができる。すなわち、フィルム１を固定する際、一点で固定してしまうと、その部分に力が掛かり、それに応じて乳白色半透明板１５と導光板３５とが密着して、輝度ムラとなることがある。しかし、本構造のように、フラットな面でフィルム１を圧着して固定すると、より広い面でフィルム１を押さえることになる。さらに、フィルム１に近接した乳白色半透明板１５と導光板３５とについても広い面で押さえることになるので、乳白色半透明板１５が歪んで導光板３５と密着してしまうことを避け、輝度ムラの発生を抑えることができる。
【００４０】
（フィルムコーナー固定金具）
一般的な電飾看板において、フィルムは、非常に薄いものである。また、電飾看板の照明は、遠くの人にも広告等が視認し得るように、高輝度に設定することが多く、電飾看板の内部は高温になる場合がある。そして、上述したような薄いフィルムが、高温状態に長時間曝されると、熱により変形することがある。その際、フィルムの端部、特に四隅が乳白色半透明板から浮いてしまうことがある。
【００４１】
（第５の実施形態）
そこで、第５の実施形態では、フィルム１の四隅が、乳白色半透明板１５から浮くことを防止するために、乳白色半透明板１５の四隅部分に、フィルム１の四隅を引っ掛けるためのフィルムコーナー固定金具１８を設けている。図１５は、電飾看板１０のフィルムコーナー固定金具１８を模式的に示す拡大図である。フィルムコーナー固定金具１８は、乳白色半透明板１５の隅部を覆うとともに、乳白色半透明板１５とフィルムコーナー固定金具１８との間に、フィルム１を挿入可能なように設けられており、フィルム１の隅部を乳白色半透明板１５とフィルムコーナー固定金具１８との間に挿入することにより、フィルム１の隅部を、フィルムコーナー固定金具１８に掛止することができる。これにより、フィルム１の隅部が、乳白色半透明板１５から浮くことを防止することができる。
【００４２】
なお、図５に示すように、フィルムコーナー固定金具１８は、乳白色半透明板１５の四隅に対応する位置に設けられている。
【００４３】
（開き構造）
電飾看板は、一般的に、壁面に固定されて設置される。そのため、光源等の電気部分に故障が生じた場合には、看板全体を壁面から取り外して、電気部分の故障の確認および修理を行う必要があり、メンテナンス作業が煩雑である。
【００４４】
（第６の実施形態）
そこで、第６の実施形態では、ベース部１１に対してバックライトシャーシ部固定金具１３を蝶着し、ベース部１１を壁面に固定したままで、バックライトシャーシ部３０を回動させるだけで、バックライトシャーシ部３０の裏面（ベース部１１側）の電源部１２を露出させることができる。これにより、電源部１２のメンテナンス作業を容易に行うことができる。
【００４５】
図１６は、電飾看板１０のバックライトシャーシ部３０を回動させた状態を模式的に示す斜視図であり、（ａ）および（ｂ）は、それぞれ観察方向を変えた図である。まず、アクリル板１９および蓋枠２０を反時計回りに回動させ、次に、バックライトシャーシ部３０を時計回りに回動させることにより、バックライトシャーシ部３０の裏面に配置された電源部１２を露出させることができる。なお、バックライトシャーシ部３０の回動方向は特に限定されず、任意に設定することができるが、操作の容易性から、アクリル板１９および蓋枠２０の回動方向とは逆の方向に回動するようになっていることが好ましい。また、バックライトシャーシ部３０の回動範囲は特に限定されないが、メンテナンスの容易性から、少なくとも９０度回動するようになっていることが好ましい。
【００４６】
図１７は、電飾看板１０のバックライトシャーシ部３０を回動させるための蝶番２１を模式的に示す斜視図であり、（ａ）は、電飾看板１０のバックライトシャーシ部３０を回動させた状態を、（ｂ）は、蝶番２１周辺の拡大図をそれぞれ示す。ベース部１１に対してバックライトシャーシ部固定金具１３は蝶番２１によって蝶着されており、これにより、バックライトシャーシ部３０が回動可能になっている。
【００４７】
図１８は、電飾看板１０のバックライトシャーシ部３０を固定するためのダルマ型穴２２を模式的に示す斜視図であり、（ａ）は、電飾看板１０のバックライトシャーシ部３０を回動させた状態を、（ｂ）は、ダルマ型穴２２周辺の拡大図をそれぞれ示す。バックライトシャーシ部固定金具１３における蝶番２１とは反対側の辺にダルマ型穴２２が設けられており、バックライトシャーシ部固定金具１３を、ダルマ型穴２２を通してベース部１１にビス留めすることにより、バックライトシャーシ部３０を回動しないように固定することができる。バックライトシャーシ部３０を回動させるときは、ダルマ型穴２２を通るビスを外してもよいが、ダルマ型穴２２は下部の穴がビスの頭よりも大きくなっているため、バックライトシャーシ部３０を若干持ち上げるだけで、バックライトシャーシ部３０を回動させることができる。
【００４８】
なお、バックライトシャーシ部３０の裏面には、図示しない調光回路が配置されていてもよく、その場合、バックライトシャーシ部３０を回動させることによって、当該調光回路を露出させ、調光回路のメンテナンスも容易に行うことができる。
【００４９】
（乳白色半透明板の段差）
電飾看板では、フィルムは、乳白色半透明板に被せるように配置される。ここで、フィルムは、非常に薄いものであるため、フィルムを載せる部分は、フラットであることが好ましい。なぜなら、フラットでない部分にフィルムを載せた場合、フィルムに段差が生じ、しわ、歪みの原因となるからである。しかしながら、特に、光源に液晶テレビのバックライトモジュールを流用した場合、フィルムを載せる部分を、フラットにすることは困難である。なぜなら、乳白色半透明板を保持するための構造が必要であり、乳白色半透明板を金具によって表示側（バックライトモジュールとは反対側）から押さえた場合、この金具が乳白色半透明板よりも出っ張り、フィルムを載せる部分のフラット性が失われるためである。
【００５０】
（第７の実施形態）
そこで、第７の実施形態では、乳白色半透明板１５における導光板３５に背向する面の外周部１５ａは、当該面の内周部１５ｂに対して凹んでおり、乳白色半透明板固定金具１６は、当該外周部を押えるようになっている。これにより、乳白色半透明板固定金具１６が、突出することを避け、フィルムを載せる部分のフラット性を確保することができる。
【００５１】
図１９は、電飾看板１０の乳白色半透明板１５および乳白色半透明板固定金具１６を模式的に示す拡大図である。図２０は、電飾看板１０の乳白色半透明板１５および乳白色半透明板固定金具１６を模式的に示す側方断面図である。乳白色半透明板１５の外周部１５ａと内周部１５ｂとの間には、内周部１５ｂに対して外周部１５ａが凹むように段差１５ｃが設けられており、これにより、乳白色半透明板固定金具１６が突出することを抑制することができる。段差１５ｃの深さは、乳白色半透明板固定金具１６と同じかより深いことがより好ましいが、少しでも段差１５ｃが設けられていれば、乳白色半透明板固定金具１６のフィルム１側への突出量を低減することができるため、発明の効果が得られる。
【００５２】
以上のように、乳白色半透明板１５の外周部１５ａを内周部１５ｂに対して凹ませておくことにより、外周部１５ａを乳白色半透明板固定金具１６等で押えた場合でも、乳白色半透明板１５上のフラット性が損なわれることを抑制することができる。これにより、乳白色半透明板１５上にフィルム１を好適に配置することができる。
【００５３】
また、本構造によって、乳白色半透明板１５と導光板３５との密着による輝度ムラを軽減することができる。すなわち、乳白色半透明板固定金具１６がアクリル板１９方向に突出していると、アクリル板１９からの力が乳白色半透明板固定金具１６に重点的に掛かってしまう。そうすると、その部分に力が掛かり、それに応じて乳白色半透明板１５と導光板３５とが密着して、輝度ムラとなることがある。しかし、本構造のように、フィルム１を載せる面が、アクリル板１９に対してフラットな面であれば、より広い面でアクリル板１９と接触するので乳白色半透明板１５と導光板３５とについても広い面で押さえることになる。よって、乳白色半透明板１５が歪んで導光板３５と密着してしまうことを避け、輝度ムラの発生を抑えることができる。
【００５４】
〔まとめ〕
本発明の態様１に係る電飾看板（１０、１０’、１０’’）は、光源（ＬＥＤ基板３３）と、導光板（３５、３５’）と、拡散板（乳白色半透明板１５、１５’）と、を備え、（１）該導光板における該拡散板に対向する面、若しくは、該拡散板における該導光板に対向する面に凹凸構造が設けられているか、又は、（２）該導光板および該拡散板の間に、透光板（レンズシート１４）をさらに備え、該透光板の少なくとも片面に、該凹凸構造が設けられている。
【００５５】
上記の構成によれば、導光板、拡散板または透光板に設けられた凹凸構造によって、導光板と拡散板との間に空気層を安定して存在せしめることができるので、輝度ムラを抑制することができる。
【００５６】
本発明の態様２に係る電飾看板は、上記態様１において、上記凹凸構造は、当該凹凸構造が設けられた面と、当該面に対向する面との間の密着を防止するための構造であることが好ましい。
【００５７】
上記の構成によれば、上記凹凸構造によって、導光板と拡散板、または、導光板と透光板、もしくは、透光板と拡散板が密着しないため、導光板と拡散板との間に空気層をより安定して存在せしめることができる。
【００５８】
本発明の態様３に係る電飾看板は、上記態様１または２において、上記拡散板における上記導光板に背向する面に被さるようにフィルム（１）を吊り下げて固定するフィルム固定部（１７、１７’）をさらに備えているものであってもよい。
【００５９】
上記の構成によれば、光が照射される位置にフィルムを首尾よく保持することができる。
【００６０】
本発明の態様４に係る電飾看板は、上記態様３において、上記フィルム固定部は、上記フィルムの一部分を固定する第一固定部（１７’ａ）と、上記フィルムの他の部分を固定する第二固定部（１７’ｂ）を備え、第一固定部および第二固定部は、互いに離反する方向にスライドさせたときに上記フィルムを固定するようになっていてもよい。
【００６１】
上記の構成によれば、フィルム固定部にフィルムを固定する際に、フィルム固定部の動きにフィルムが追従してフィルムの位置がずれることを抑制することができる。また、フィルムを互いに反対方向に引っ張ることで、フィルムにしわがよることを抑制することができる。
【００６２】
本発明の態様５に係る電飾看板は、上記態様３または４において、上記フィルムの四隅を上記拡散板上に掛止する掛止部（フィルムコーナー固定金具１８）をさらに備えていてもよい。
【００６３】
上記の構成によれば、フィルムの四隅におけるめくれを防止することができる。
【００６４】
本発明の態様６に係る電飾看板は、上記態様１〜５において、上記光源に電源を供給する電源部（１２）と、該電源部、上記光源および上記導光板を保持する保持部（バックライトシャーシ部固定金具１３）と、上記電飾看板を壁面に固定する固定部（ベース部１１）と、を備え、該保持部が、該固定部に蝶着されており、該保持部を回動させることによって該電源部が露出するようになっているものであってもよい。
【００６５】
上記の構成によれば、固定部を壁面に固定したままで、電源部を露出させることができるため、電源部のメンテナンスを容易に行うことができる。
【００６６】
本発明の態様７に係る電飾看板は、上記態様１〜６において、上記拡散板における上記導光板に背向する面の外周部（１５ａ）は、当該面の内周部（１５ｂ）に対して凹んでいてもよい。
【００６７】
上記の構成によれば、拡散板の外周部を内周部に対して凹ませておくことにより、外周部を金具等で押えた場合でも、拡散板上のフラット性が損なわれることを抑制することができる。これにより、拡散板上にフィルムを好適に配置することができる。
【００６８】
本発明の態様８に係る電飾看板は、上記態様１〜７において、上記拡散板と対になってフィルムを挟むための透明蓋（アクリル板１９）をさらに備えていてもよい。
【００６９】
上記の構成によれば、フィルムを首尾よく保護することができる。
【００７０】
本発明の態様９に係る電飾看板は、上記態様１〜８において、上記光源はＬＥＤ光源であってもよい。
【００７１】
上記の構成によれば、長寿命を実現し、輝度ムラを小さくし、輝度を大きくすることができる。
【００７２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７３】
本発明は、電飾看板の製造分野において利用可能である。
【符号の説明】
【００７４】
１      フィルム
１０    電飾看板
１１    ベース部（固定部）
１２    電源部
１３    バックライトシャーシ部固定金具（保持部）
１４    レンズシート（透光板）
１５    乳白色半透明板（拡散板）
１６    乳白色半透明板固定金具
１７    フィルム固定金具（フィルム固定部）
１８    フィルムコーナー固定金具（掛止部）
１９    アクリル板（透明蓋）
２０    蓋枠
２１    蝶番
２２    ダルマ型穴
３０    バックライトシャーシ部
３１    バックライトシャーシ
３２    反射シート
３３    ＬＥＤ基板（光源、ＬＥＤ光源）
３４    ミドルシャーシ
３５    導光板
【図１】
2015087727.tif 000003
【図２】
2015087727.tif 000004
【図３】
2015087727.tif 000005
【図４】
2015087727.tif 000006
【図５】
2015087727.tif 000007
【図６】
2015087727.tif 000008
【図７】
2015087727.tif 000009
【図８】
2015087727.tif 000010
【図９】
2015087727.tif 000011
【図１０】
2015087727.tif 000012
【図１１】
2015087727.tif 000013
【図１２】
2015087727.tif 000014
【図１３】
2015087727.tif 000015
【図１４】
2015087727.tif 000016
【図１５】
2015087727.tif 000017
【図１６】
2015087727.tif 000018
【図１７】
2015087727.tif 000019
【図１８】
2015087727.tif 000020
【図１９】
2015087727.tif 000021
【図２０】
2015087727.tif 000022
【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
光源と、導光板と、拡散板と、を備え、
該導光板における該拡散板に対向する面、若しくは、該拡散板における該導光板に対向する面に凹凸構造が設けられている、
ことを特徴とする電飾看板。
【請求項２】
光源と、導光板と、拡散板と、を備え、
該導光板および該拡散板の間に、透光板をさらに備え、該透光板の少なくとも片面に、凹凸構造が設けられている、
ことを特徴とする電飾看板。
【請求項３】
上記凹凸構造は、当該凹凸構造が設けられた面と、当該面に対向する面との間の密着を防止するための構造であることを特徴とする請求項１または２に記載の電飾看板。
【請求項４】
上記拡散板における上記導光板に背向する面に被さるようにフィルムを吊り下げて固定するフィルム固定部をさらに備えていることを特徴とする請求項１〜３の何れか一項に記載の電飾看板。
【請求項５】
上記フィルム固定部は、上記フィルムの一部分を固定する第一固定部と、上記フィルムの他の部分を固定する第二固定部を備え、
第一固定部および第二固定部は、互いに離反する方向にスライドさせたときに上記フィルムを固定するようになっていることを特徴とする請求項４に記載の電飾看板。
【請求項６】
上記フィルムの四隅を上記拡散板上に掛止する掛止部をさらに備えていることを特徴とする請求項４または５に記載の電飾看板。
【請求項７】
上記光源に電源を供給する電源部と、
該電源部、上記光源および上記導光板を保持する保持部と、
上記電飾看板を壁面に固定する固定部と、を備え、
該保持部が、該固定部に蝶着されており、該保持部を回動させることによって該電源部が露出するようになっていることを特徴とする請求項１〜６の何れか一項に記載の電飾看板。
【請求項８】
上記拡散板における上記導光板に背向する面の外周部は、当該面の内周部に対して凹んでいることを特徴とする請求項１〜７の何れか一項に記載の電飾看板。
【請求項９】
上記拡散板と対になってフィルムを挟むための透明蓋をさらに備えていることを特徴とする請求項１〜８の何れか一項に記載の電飾看板。
【請求項１０】
上記光源はＬＥＤ光源であることを特徴とする請求項１〜９の何れか一項に記載の電飾看板。
【請求項１１】
上記拡散板は、乳白色半透明板であることを特徴とする請求項１〜１０の何れか一項に記載の電飾看板。